(57)【要約】【課題】  手を汚すことなく、一人で簡単に薬を塗布することができ、手間のかからない薬剤塗布用具を提供することを目的とする。【解決手段】  用具本体１０の一端に薬剤塗布部２を設けるとともに他端に孫の手３を設け、前記薬剤塗布部２が回転体４と、前記回転体４を回転可能に保持する保持部７とからなり、前記保持部７の内部に薬剤２１を収納する空間２０を設けて前記回転体４表面に薬剤２１の付着層６を形成可能にするとともに、該付着層６が保持部７より突出するようにした。【選択図】  図１
2006212371.tif 000002
【特許請求の範囲】
【請求項１】
用具本体の一端に薬剤塗布部を設けるとともに他端に孫の手を設け、前記薬剤塗布部が回転体と、前記回転体を回転可能に保持する保持部とからなり、前記保持部の内部に薬剤を収納する空間を設けて前記回転体表面に薬剤の付着層を形成可能にするとともに、該付着層が保持部より突出するようにしたことを特徴とする、薬剤塗布用具。
【発明の詳細な説明】
【技術分野】
【０００１】  本発明は、手が自由に届かない身体の部位に一人で薬を塗布するための薬剤塗布用具に関する。
【背景技術】
【０００２】  背中等の手の届きにくい部位に薬を塗ったり、掻いたりするのには、人手を借らなければならない場合が多く、一人では困難である。
一人で薬を塗れるように孫の手などに切込みを設け、薬剤を含ませたガーゼや脱脂綿を挟持できるようにした補助具がある（特許文献１）。
また、ローラーに軟膏などの薬を塗布して、手の届かない箇所へ薬を塗るようにした薬物塗り付け器がある（特許文献２）。
【特許文献１】  特開２００２−１３６６０２号
【特許文献２】  特開平１１−７６４２１号
【発明の開示】
【発明が解決しようとする課題】
【０００３】  特許文献１に示す発明は、ガーゼや脱脂綿に薬剤を含ませたり、この薬剤を含ませたガーゼや脱脂綿を孫の手状先端部に取り付けなければならず、手が汚れたり、手間がかかり煩わしいものであった。
また、特許文献２に示す発明は、予め薬をローラーに塗布するものであるため、ローラーに塗布した量しか薬を患部に塗ることができない。
このため使用する都度、薬をローラーに塗布しなければならず、手が汚れたりして面倒である。【０００４】  本発明は、かかる問題点に鑑み、手を汚すことなく、一人で簡単に薬を塗布することができ、手間のかからない薬剤塗布用具を提供することを目的とする。
【課題を解決するための手段】
【０００５】  上記のような目的を達成するために、本発明の薬剤塗布用具は、用具本体の一端に薬剤塗布部を設けるとともに他端に孫の手を設け、前記薬剤塗布部が回転体と、前記回転体を回転可能に保持する保持部とからなり、前記保持部の内部に薬剤を収納する空間を設けて前記回転体表面に薬剤の付着層を形成可能にするとともに、該付着層が保持部より突出するようにしたことを特徴とするものである。
また、本発明の薬剤塗布用具は、薬剤塗布部を用具本体に対して着脱可能とすることができる。【０００６】  上記課題解決手段による作用は、次のとおりである。
本薬剤塗布用具を使用する時は、用具本体を手で握って持ち、腕を上げて回転体を患部に当て、軽く動かす。
回転体の表面には薬剤の付着層が形成されており、回転体を患部に当てて動かすことで回転体を回転させながら、その表面に付着している薬剤を患部に塗布することができる。
薬剤を塗布し終わった回転体は、再び薬剤と接触して回転体の表面に薬剤の付着層が形成される。
このようにして回転体を背中に当てて動かすことで、回転体の表面に薬剤の付着層を形成しながらその薬剤が患部に塗布されるので、背中のどの部分にも満遍く薬剤を塗布しつづけることができる。
一方、用具本体の他端には孫の手を設けてあるので、背面の手の届かない場所が痒い時にも使用することができる。
【発明の効果】
【０００７】  本発明は、以上説明したようになるから、次のような効果を得ることができる。
＜イ＞予め薬剤の付着層が形成された回転体を患部にあてて動かすだけでよいので、手を汚すことのない薬剤塗布用具を提供することができる。
＜ロ＞一人で簡単に薬を塗布することができ、手間のかからない薬剤塗布用具を提供することができる。
【発明を実施するための最良の形態】
【０００８】  以下、図面を参照しながら、本発明に係る実施の形態について説明する。
図１は回転体に球体を用いた薬剤塗布用具の斜視図で、図２は回転体にローラーを用いた薬剤塗布用具の斜視図である。図３は保持部の断面図である。図４は回転体に蓋をかぶせる状態を示す図で、図５は保持部と用具本体の接続状態を示す断面図である。【０００９】＜イ＞薬剤塗布用具（図１、図２）
薬剤塗布用具１は、用具本体１０の一端に薬剤塗布部２を設けるとともに他端に孫の手３を設けてなる。
用具本体１０の部材は、木、竹、金属でもよいが、プラスチック等の可撓性のある素材が適当である。
薬剤塗布用具１を手で握って操作できるように、用具本体１０の適当な個所に把握部１１を設ける。
把握部１１は手で握った時、滑りにくい凹凸を設け、力が入りやすい太さを持つのが好ましい。
また用具本体１０は、把握部１１を持って肩線まで持ち上げた時に、成人の平均的な背中の任意所望箇所に無理なく薬剤塗布部２が届く長さを持つ。【００１０】＜ロ＞薬剤塗布部（図３）
薬剤塗布部２は患部に薬を塗るためのもので、本発明では表面に薬剤２１の付着層６が形成された回転体４からなる。
図３に薬剤塗布部２の構造の一例を示す。
薬剤塗布部２は、回転体４とこれを回転可能に保持する保持部７とで構成される。
保持部７は、回転体４を回転可能に保持するほか、その内部が空間２０となっており、そこに薬剤２１を収納可能にしている。
本例では、保持部７は用具本体１０の一端から断面略楕円状に突出した形状であり、回転体４の少なくとも半分以上を収納するとともに、突出した箇所に薬剤２１を収納するようになっている。
保持部７の空間２０を横切って複数の支持部材８が回転体４に向けて設けられ、さらに支持部材８の先端をつなぐようにして支持面９が回転体４の表面に沿って形成されている。
支持面９と回転体４表面との間には隙間が設けられてあり、空間２０に充填されている薬剤２１が隙間に入り込んで、回転体４の表面に薬剤２１の付着層６が形成されるようになっている。
かくしてその表面に薬剤２１の付着層６が形成された回転体４が構成される。【００１１】  回転体４の中心に回転軸４０を挿通し、回転軸４０を保持部７に取り付ける。
回転体４を保持部７に取り付けた状態では、表面の付着層６が保持部７から突出し、薬剤２１を患部に塗布できるようになっている。
この回転体４を患部に押し当てて動かすことによって薬剤２１の付着層６が肌に張り付き、患部に薬を塗ることができる。
回転体４を保持部７にセットするには、例えば回転体４と保持部７の穴を同軸にし、回転軸４０を挿通するか、あるいは回転体４に回転軸４０を固定し、保持部７を押し広げて回転軸４０をセットすればよい。
支持面９が回転体４の表面に沿って形成されているので、回転軸４０を省略してもよいが、回転体４をスムースに回転させるには回転軸４０を設けた方が望ましい。
回転軸４０を省略した場合は、回転体４が、抜け落ちることがないように保持部７は回転体４表面の半分以上を覆う必要がある。【００１２】  回転体４表面の薬剤２１が他に付かないように、使用しないときは蓋４１などで回転体４の表面を覆うようにするのがよい（図４参照）。
薬剤塗布部２は用具本体１０と一体的に構成してもよく、あるいは用具本体１０に着脱可能に構成してもよい。
薬剤塗布部２と用具本体１０との接続は、ワンタッチの差込形式かネジ形式（ネジ穴７２）とすることができる（図５参照）。
薬剤塗布部２を着脱可能にすることによって、必要に応じ種類を選択し、ソフトな塗り方をしたりすることも可能である。
また、本発明の薬剤塗布用具１は使い捨てを基本にしているが、保持部７に穴２２をあけて外部から薬剤２１を空間２０内に注入して補充するようにしてもよい（図３）。
注入したら蓋２３等で穴２２を塞いでおく。
あるいはネジ穴７２を利用して薬剤２１を空間２０内へ注入するようにしてもよい（図５参照）。【００１３】＜ハ＞回転体（図１、図２、図３）
回転体４は、球体またはローラーを用いることができる。
図１は球体を用いた例であり、図２はローラーを用いた例である。
球体は肌と接触する面が狭いので、小さな傷など薬を僅かに塗る場合に好適であり、ローラーは幅広く薬を塗る場合に好適である。
薬剤２１を表面に付着した回転体４は肌と接触するので、肌を傷つけず、また薬剤２１が適量に塗れるように弾力があり、多孔質状の例えばスポンジ状５のものとするのが好ましい。
スポンジ５にすることによって薬剤２１が内部に浸透するほか、身体に柔軟に接すると同時に身体の多少の凹凸にも対応出来るようになる。
回転体４自体をスポンジで構成してもよく、あるいは回転体４の外周にフエルトやスポンジ状シートを接着して回転体４の表面をスポンジ状にしてもよい。【００１４】＜ホ＞作用
空間２０に薬剤２１を充填しておく。
保持部７にセットされた回転体４は、そのまま空間２０内の薬剤２１に接触しているので、回転体４の表面には薬剤２１が付着した付着層６が形成されることになる。
本薬剤塗布用具１を使用する時は、用具本体１０を手で握って持ち、腕を上げて回転体４を患部に当て、軽く動かす。
回転体４の表面には薬剤２１が付着した付着層６が形成されており、また回転体４は保持部７に回転自在に保持されているので、回転体４を患部に当てて動かすことで回転体４が回転しながら、その表面に付着している薬剤２１を患部に塗布することができる。
薬剤２１を塗布し終わった回転体４をそのまま回転させれば、再び薬剤２１と接触して回転体４の表面に薬剤２１の付着層６が形成される。
このようにして回転体４を背中に当てて動かすことで、背中のどの部分にも満遍なく薬剤２１を塗布しつづけることができる。
回転体４が球体の場合は、回転軸４０を省略することによって球体が多方向へ回転し、球体表面に付着している薬を満遍なく塗ることができる。
一方、用具本体１０の他端には孫の手３を設けてあるので、背面の手の届かない場所が痒い時にも使用することができる。【００１５】  本発明の薬剤塗布用具１は、用具本体１０の一端に回転体４を回転自在に支持し、また回転体４は常時薬剤２１に接触して薬剤２１の付着層６が形成されているため、連続的に薬を患部に塗布することができる。
回転体４の外周には弾力があり、多孔質状のスポンジ状物５を設けてあるので、使用しようとする回転体４の外周に薬剤２１が浸透するほか、柔らかい感触で薬剤２１を塗布でき、身体の多少の凹凸にも対応できる。
本発明は、以上説明したように構成され、使用されるので、一人暮らしの人でも身体の背面を適度に掻いたり、薬品類を塗ったりすることができ、非常に便利である。
【図面の簡単な説明】
【００１６】
【図１】回転体に球体を用いた薬剤塗布用具の斜視図。
【図２】回転体にローラーを用いた薬剤塗布用具の斜視図。
【図３】保持部の断面図。
【図４】回転体に蓋をかぶせる状態を示す図
【図５】保持部と用具本体の接続状態を示す断面図。
【符号の説明】
【００１７】１・・・・薬剤塗布用具
２・・・・薬剤塗布部
３・・・・孫の手
４・・・・回転体
４０・・・回転軸
５・・・・スポンジ
６・・・・付着層
７・・・・保持部
８・・・・支持部材
９・・・・支持面
１０・・・用具本体
１１・・・把握部
２０・・・空間
２１・・・薬剤
２２・・・穴
２３・・・蓋
７２・・・ネジ穴
【図１】
2006212371.tif 000003
【図２】
2006212371.tif 000004
【図３】
2006212371.tif 000005
【図４】
2006212371.tif 000006
【図５】
2006212371.tif 000007